(57)【要約】【課題】  帽子に取り付けて使用可能な多機能拡大鏡装置の提供。【解決手段】  挟持空間を具えた挟持本体、該挟持本体とスライド式に組み合わされたスライドシート、該スライドシートの一端に組み合わされた調節式レンズで構成され、挟持空間の設置により、挟持本体が随意に使用者が着用する異なる種類の帽子或いは眼鏡フレームを挟持できるものとされる。また、スライドシートに組付けられるレンズは、挟持本体の滑り溝に沿ってスライド調整可能で、レンズが任意に着脱、位置決め可能であるほか、使用時にレンズと使用者の眼の間の焦点距離を簡単にスライド調整できるものとされる。【選択図】        図１
2006169669.tif 000002
【特許請求の範囲】
【請求項１】
上部に挟持空間が形成され、下部の相反する二側にスライドシートを組み付けるための滑り溝が開設された挟持本体と、
二側壁に該滑り溝にスライド式に嵌合される翼片が凸設され、レンズを組み付けるための枢設部が一端に凸設されたスライドシートと、
上部に該枢設部との結合用の枢設ロッドを具えたレンズと、
で構成されて、該挟持本体が使用者が着用する帽子或いは眼鏡フレームを随意に挟持でき、該スライドシートに組付けたレンズを、該挟持本体の滑り溝に沿ってスライドさせて位置調整できることを特徴とする、帽子に取り付けて使用可能な多機能拡大鏡装置。
【請求項２】
請求項１記載の帽子に取り付けて使用可能な多機能拡大鏡装置において、挟持本体にあってスライドシートに対応する下端面にスライドレールが凹設され、該スライドレールの内底面に複数の位置決め歯部が設けられ、スライドシートにあって該スライドレールに対向する部分に位置決め弾性片が凸設され、該スライドシートと挟持本体が組み合わされる時、位置決め弾性片が任意の位置決め歯部の位置に係止され、これによりスライドシートのスライド調整時の位置決めが達成されることを特徴とする、帽子に取り付けて使用可能な多機能拡大鏡装置。
【請求項３】
請求項１記載の帽子に取り付けて使用可能な多機能拡大鏡装置において、挟持本体の上面にランプシートが凸設されて該ランプシートが照明器具の枢結に供されることを特徴とする、帽子に取り付けて使用可能な多機能拡大鏡装置。
【請求項４】
請求項３記載の帽子に取り付けて使用可能な多機能拡大鏡装置において、照明器具はランプ本体、反射カバー、バルブ及びランプヘッドで構成され、ランプ本体の底端に結合ロッド部が凸設され、該結合ロッド部が枢結方式で該ランプシートに組み合わされ、該照明器具が上下に９０度及び左右に１８０度の照射方向調整可能とされたことを特徴とする、帽子に取り付けて使用可能な多機能拡大鏡装置。
【請求項５】
請求項１記載の帽子に取り付けて使用可能な多機能拡大鏡装置において、スライドシートの枢設部の内側に複数の係止歯が環状に配設され、レンズの枢設ロッドの外周面に複数の位置決めリブが凸設され、レンズが該枢設部に枢設される時、レンズの角度の調整及び位置決め可能であることを特徴とする、帽子に取り付けて使用可能な多機能拡大鏡装置。
【請求項６】
上部に挟持空間が形成され、下部の相反する二側にスライドシートを組み付けるための滑り溝が開設され、下端面にスライドレールが凹設されて該スライドレールの内底面に複数の位置決め歯部が形成された挟持本体と、
二側壁に該滑り溝にスライド式に嵌合される翼片が凸設され、上記スライドレールと対向する面に位置決め弾性片が凸設され、レンズを組み付けるための枢設部が一端に凸設され、挟持本体との組合せ時に、該位置決め弾性片が任意の位置決め歯部に係止されるスライドシートと、
上部に該枢設部との結合用の枢設ロッドを具えたレンズと、
で構成されて、該挟持本体が使用者が着用する帽子或いは眼鏡フレームを随意に挟持でき、該スライドシートに組付けたレンズを、該挟持本体の滑り溝に沿ってスライドさせて位置調整できることを特徴とする、帽子に取り付けて使用可能な多機能拡大鏡装置。
【請求項７】
請求項６記載の帽子に取り付けて使用可能な多機能拡大鏡装置において、挟持本体の上面にランプシートが凸設されて該ランプシートが照明器具の枢結に供されることを特徴とする、帽子に取り付けて使用可能な多機能拡大鏡装置。
【請求項８】
請求項７記載の帽子に取り付けて使用可能な多機能拡大鏡装置において、照明器具はランプ本体、反射カバー、バルブ及びランプヘッドで構成され、ランプ本体の底端に結合ロッド部が凸設され、該結合ロッド部が枢結方式で該ランプシートに組み合わされ、該照明器具が上下左右に照射方向調整可能とされたことを特徴とする、帽子に取り付けて使用可能な多機能拡大鏡装置。
【請求項９】
請求項６記載の帽子に取り付けて使用可能な多機能拡大鏡装置において、スライドシートの枢設部の内側に複数の係止歯が環状に配設され、レンズの枢設ロッドの外周面に複数の位置決めリブが凸設され、レンズが該枢設部に枢設される時、レンズの角度の調整及び位置決め可能であることを特徴とする、帽子に取り付けて使用可能な多機能拡大鏡装置。
【発明の詳細な説明】
【技術分野】
【０００１】
本発明は帽子に取り付けて使用可能な多機能拡大鏡装置に係り、特に、任意に各種のレンズ例えば拡大鏡を結合可能で、並びに各種の帽子或いは眼鏡フレームに取り付けて使用できる多機能拡大鏡装置に関する。
【背景技術】
【０００２】
眼鏡製品の多様化、及び、使用者の異なる場面での使用の要求に伴い、眼鏡の使用形態は単純にフレームを利用して使用者の両耳に掛けるのみではなくなり、眼鏡の使用機能もレンズ性質の違いにより異なり、例えば特殊機能の拡大レンズ、光学レンズ等がある。
【０００３】
眼鏡の使用形態中、眼鏡付き帽子は、眼鏡と帽子を結合させた製品であり、例えば特許文献１に記載のものがあり、それによると、帽子のつばの二側端にネジを利用して二つの枢設部品を枢設し、それに連結孔が形成され、眼鏡の両端部がそれぞれ各枢設部品の連結孔中に挿入され、これにより、眼鏡が枢設部品により回転操作可能とされ、眼鏡を回転させて使用者の眼の前方に位置づけることができ、また回転させてつばに当接させることもできる。この周知の技術は眼鏡を回転させられる機能を有しているが、その構造組成は眼鏡の組合せにネジによる固定が必要であり、且つ一旦固定した後の眼鏡は取り外すことができない。また、機能については、眼鏡は単純に回転するだけで最良の調整機能を達成できない。ゆえにこの周知の技術には改善の必要がある。
【０００４】
また別の非固定型の眼鏡付き帽子として、特許文献２に記載のものがあり、それは、眼鏡フレーム本体、二本の伸縮スリーブ、リム、二つのレンズ及び複数の固定用のネジを具えている。それによると、該眼鏡フレーム本体は金属線を折り曲げて溶接してなるクリップで帽子に挟持固定され、並びに所定位置に環状耳が設けられて伸縮スリーブの接続に用いられ、該伸縮スリーブは２本の中空金属管とされ、そのうち１本の外径がもう１本の内径に嵌合され、二つの管が結合後の両端に環状耳が設けられて、眼鏡フレーム本体とリムの結合に用いられ、該リムの両側に伸縮スリーブを結合させる孔が設けられ、伸縮スリーブの長さと角度を利用してレンズを顔と視線の中心位置に接合させ、リムを折り畳めることが特徴である。
【０００５】
この周知の技術は使用形態上は任意に眼鏡フレーム本体を取り外して異なる帽子に取り付けて使用できるが、以下のような欠点を有している。
１．部品数が多く、その構成が複雑であり、且つレンズ位置及び角度調整の機能も有限であり、遠近の二種類の距離の調整しか行なえない。
２．レンズは凸レンズ、凹レンズ、或いは有色、無色、銀メッキ面等異なる様式とされうることが記載されているが、レンズはリムと固定式結合され、任意に交換が行なえず、使用上の大きな欠点を形成する。
３．眼鏡フレーム本体のクリップの設計は、帽子のつばを挟み付けて結合可能であるだけで、使用者が頭部に載置するその他の物品、例えばレンズ無しの眼鏡フレームと結合させて使用することはできず、その使用価値を高める事ができない。
４．使用者が存在する空間が照明の暗いところ或いは夜間環境である時、眼鏡付き帽子であろうがなかろうが、照明に頼らねば仕事を順調に行なうことができず、一般に眼鏡或いは眼鏡付き帽子には照明機能はなく、使用者は別に照明器具を準備しなければならず、このため明らかにその機能性が不足し、改善の必要がある。
【０００６】
【特許文献１】台湾特許公告第４９８７２４号明細書
【特許文献２】台湾特許公告第１７７５１１号明細書
【発明の開示】
【発明が解決しようとする課題】
【０００７】
本発明の主要な目的は、一種の帽子に取り付けて使用可能な多機能拡大鏡装置を提供することにあり、それは、使用者が着用する各種タイプの帽子或いは眼鏡フレームと着脱自在に結合可能で、また、レンズも使用者の眼との間の焦点距離を随意にスライド調整でき、使用の機能性が高められたものとする。
【０００８】
本発明の次の目的は、着脱自在のレンズ（拡大レンズを主とする）を簡便に且つ迅速に交換できるようにし、異なる使用場面に応じて適切な拡大倍率のレンズに交換できるようにすることにある。
【０００９】
本発明の更なる目的は、着脱自在の眼鏡に選択的に照明器具を組み合わせて使用できるようにして、その付加の使用機能を高めることにある。
【課題を解決するための手段】
【００１０】
請求項１の発明は、上部に挟持空間が形成され、下部の相反する二側にスライドシートを組み付けるための滑り溝が開設された挟持本体と、
二側壁に該滑り溝にスライド式に嵌合される翼片が凸設され、レンズを組み付けるための枢設部が一端に凸設されたスライドシートと、
上部に該枢設部との結合用の枢設ロッドを具えたレンズと、
で構成されて、該挟持本体が使用者が着用する帽子或いは眼鏡フレームを随意に挟持でき、該スライドシートに組付けたレンズを、該挟持本体の滑り溝に沿ってスライドさせて位置調整できることを特徴とする、帽子に取り付けて使用可能な多機能拡大鏡装置としている。
請求項２の発明は、請求項１記載の帽子に取り付けて使用可能な多機能拡大鏡装置において、挟持本体にあってスライドシートに対応する下端面にスライドレールが凹設され、該スライドレールの内底面に複数の位置決め歯部が設けられ、スライドシートにあって該スライドレールに対向する部分に位置決め弾性片が凸設され、該スライドシートと挟持本体が組み合わされる時、位置決め弾性片が任意の位置決め歯部の位置に係止され、これによりスライドシートのスライド調整時の位置決めが達成されることを特徴とする、帽子に取り付けて使用可能な多機能拡大鏡装置としている。
請求項３の発明は、請求項１記載の帽子に取り付けて使用可能な多機能拡大鏡装置において、挟持本体の上面にランプシートが凸設されて該ランプシートが照明器具の枢結に供されることを特徴とする、帽子に取り付けて使用可能な多機能拡大鏡装置としている。
請求項４の発明は、請求項３記載の帽子に取り付けて使用可能な多機能拡大鏡装置において、照明器具はランプ本体、反射カバー、バルブ及びランプヘッドで構成され、ランプ本体の底端に結合ロッド部が凸設され、該結合ロッド部が枢結方式で該ランプシートに組み合わされ、該照明器具が上下に９０度及び左右に１８０度の照射方向調整可能とされたことを特徴とする、帽子に取り付けて使用可能な多機能拡大鏡装置としている。
請求項５の発明は、請求項１記載の帽子に取り付けて使用可能な多機能拡大鏡装置において、スライドシートの枢設部の内側に複数の係止歯が環状に配設され、レンズの枢設ロッドの外周面に複数の位置決めリブが凸設され、レンズが該枢設部に枢設される時、レンズの角度の調整及び位置決め可能であることを特徴とする、帽子に取り付けて使用可能な多機能拡大鏡装置としている。
請求項６の発明は、上部に挟持空間が形成され、下部の相反する二側にスライドシートを組み付けるための滑り溝が開設され、下端面にスライドレールが凹設されて該スライドレールの内底面に複数の位置決め歯部が形成された挟持本体と、
二側壁に該滑り溝にスライド式に嵌合される翼片が凸設され、上記スライドレールと対向する面に位置決め弾性片が凸設され、レンズを組み付けるための枢設部が一端に凸設され、挟持本体との組合せ時に、該位置決め弾性片が任意の位置決め歯部に係止されるスライドシートと、
上部に該枢設部との結合用の枢設ロッドを具えたレンズと、
で構成されて、該挟持本体が使用者が着用する帽子或いは眼鏡フレームを随意に挟持でき、該スライドシートに組付けたレンズを、該挟持本体の滑り溝に沿ってスライドさせて位置調整できることを特徴とする、帽子に取り付けて使用可能な多機能拡大鏡装置としている。
請求項７の発明は、請求項６記載の帽子に取り付けて使用可能な多機能拡大鏡装置において、挟持本体の上面にランプシートが凸設されて該ランプシートが照明器具の枢結に供されることを特徴とする、帽子に取り付けて使用可能な多機能拡大鏡装置としている。
請求項８の発明は、請求項７記載の帽子に取り付けて使用可能な多機能拡大鏡装置において、照明器具はランプ本体、反射カバー、バルブ及びランプヘッドで構成され、ランプ本体の底端に結合ロッド部が凸設され、該結合ロッド部が枢結方式で該ランプシートに組み合わされ、該照明器具が上下左右に照射方向調整可能とされたことを特徴とする、帽子に取り付けて使用可能な多機能拡大鏡装置としている。
請求項９の発明は、請求項６記載の帽子に取り付けて使用可能な多機能拡大鏡装置において、スライドシートの枢設部の内側に複数の係止歯が環状に配設され、レンズの枢設ロッドの外周面に複数の位置決めリブが凸設され、レンズが該枢設部に枢設される時、レンズの角度の調整及び位置決め可能であることを特徴とする、帽子に取り付けて使用可能な多機能拡大鏡装置としている。
【発明の効果】
【００１１】
本発明の帽子に取り付けて使用可能な多機能拡大鏡装置は、挟持本体、スライドシート、レンズ及び照明器具を具えている。そのうち、該挟持本体の上部に上下方向に弾性挟持可能な挟持空間が形成され、挟持本体の上端にランプシートが凸設されて照明器具が枢結され、挟持本体の下部の二側に滑り溝が開設されてスライドシートが組み合わされ、挟持本体の下部の下端面にスライドレールが開設され、且つスライドレールの内底面に複数の位置決め歯部が形成されている。該スライドシートの対向する二側壁の内側面に該滑り溝に嵌合可能な翼片が凸設され、該スライドシートの該対向する二側壁を連結する部分に位置決め弾性片が凸設され、該スライドシートの前端より枢設部が突出している。該スライドシートと該挟持本体が組み合わされる時、該位置決め弾性片が任意の位置決め歯部に圧接してスライドシートが位置決めされる。該レンズには結合用の枢設ロッドが設けられて枢設部と組み合わされる。該照明器具はランプ本体、反射カバー、バルブ（或いはＬＥＤランプ）及びランプヘッドで構成され、ランプ本体の底端に結合ロッド部が凸設され、該結合ロッド部は枢結方式で該ランプシートに組み合わされ、該照明器具が上下に９０度及び左右に１８０度の照射方向調整可能とされている。
【００１２】
以上の構成により、該挟持空間の形成により、挟持本体が随意に使用者が着用する帽子或いは眼鏡フレームを挟持でき、また、スライドシートに組付けられたレンズが、挟持本体の滑り溝に沿ってスライドして焦点距離調整可能とされ、レンズシートが使用者の必要により任意に着脱可能な特性を有する。使用時に、レンズもまた簡単に取り外して交換可能で、且つレンズと眼の間の焦点距離を使用者の実際の必要により任意に調整でき、更に照明の機能が付加されて、屋外或いは電力供給のない場所のいずれでも使用でき、大幅に使用上の多重機能性が向上されている。
【発明を実施するための最良の形態】
【００１３】
図１から図５に示されるように、本発明の帽子に取り付けて使用可能な多機能拡大鏡装置は、挟持本体１０、スライドシート２０、レンズ３０、及び、選択的に該挟持本体１０に枢結される照明器具４０を具えている。
【００１４】
該挟持本体１０は平面視で略長方形を呈し、上部に弾性を有する板体を二つ折りにしてなる挟持空間１１が形成され、下部の相反する二側面に滑り溝１２が形成され、下部の下端面に滑り溝１２が開設され、該滑り溝１２の内底面に複数の位置決め歯部１３１が形成され、該挟持空間１１が外界物品に対する弾性挟持機能を具え、これにより挟持本体１０が帽子５０或いはヘルメット７０のつば５１、７１或いは眼鏡フレーム６０の位置決め片体６１を挟持して結合可能とされる。二つの滑り溝１２にスライドシート２０が組み合わされる。このほか、挟持本体１０の上端面にランプシート１４が凸設されて照明器具４０が枢結される。
【００１５】
該スライドシート２０の断面はＵ形とされ、その対向する二側壁の内壁面に滑り溝１２に対応する翼片２１が凸設され、該二側壁を連結する部分に位置決め弾性片２２が凸設され、該スライドシート２０の前端より略Ｕ形を呈する枢設部２３が凸設され、該枢設部２３の凹円弧部の内側面に複数の係止歯２３１が設けられ、レンズ３０との嵌合に用いられる。スライドシート２０と挟持本体１０が枢結されて一体とされる時、位置決め弾性片２２が滑り溝１２内の位置決め歯部１３１に圧接し位置決めされる。
【００１６】
該レンズ３０は、拡大レンズとされるが、性質機能は使用の必要により、凹レンズ、凸レンズ、色付きレンズ或いは光学レンズとされうる。本発明は拡大レンズを主とする。レンズ３０の上端面中段部分に結合用の枢設ロッド３１が設けられて、スライドシート２０前端の枢設部２３と係合され、これによりレンズ３０とスライドシート２０が枢結され、且つ枢設ロッド３１の外端面にその長軸方向に沿って複数の位置決めリブ３１１が凸設され、該レンズ３０が枢設部２３に組付けられる時、レンズ３０の角度調整後の位置決めが行なえる。
【００１７】
該照明器具４０はランプ本体４１、反射カバー４２、バルブ４３（或いはＬＥＤランプ）及びランプヘッド４４で構成され、ランプ本体４１は中空であり、反射カバー４２及びバルブ４３がそのなかに収容され、さらにランプヘッド４１の一端がそれに螺設されている。該ランプ本体４１の底端に一端が球状を呈する結合ロッド部４１１が凸設され、該結合ロッド部４１１が枢結方式で該ランプシート１４内に結合され、該照明器具４０が角度調整可能とされている。
【００１８】
更に、該照明器具４０の必要とする電源はランプ本体４１内に取り付けられた電池（図示せず）により供給されるか、電源線（図示せず）で外接電源に接続され、この外接電源は携帯式の電池式電源とされて、照明器具４０に電池を取り付けることにより重量が増加して帽子５０或いは眼鏡フレーム６０等着用物に照明器具４０を取り付けにくくなるのを防止する。このような電源供給の構造は周知の技術であり、且つ本発明の主要な技術特徴ではないため、詳しい説明は省略する。
【００１９】
以上の構成において、挟持空間１１の形成により、挟持本体１０が随意に使用者が着用する帽子５０或いは眼鏡フレーム６０を挟持でき、随意に取り付けて使用できる実用性が達成される。また、使用者が眼とレンズ３０間の焦点距離を調整するときは、スライドシート２０を挟持本体１０の滑り溝１２に沿ってスライド調整すればよい。このほか、異なる性質機能のレンズ３０に簡単に交換でき、更に、照明機能を付加することもでき、機能性が大幅に向上されている。
【００２０】
図５及び図８から図１０に示されるように、本発明を実際に使用する時は、各種の帽子５０、ヘルメット７０或いはレンズ無しの眼鏡フレーム６０等の物体を挟持させて結合させる。結合時には、該挟持空間１１を利用して帽子５０或いはヘルメット７０の前方のつば５１、７１を挟持し、眼鏡フレーム６０はフレーム前端に凸設された位置決め片体６１を挟持する。本発明の使用過程で、使用者はスライドシート２０をスライドさせてレンズ３０位置の調整の目的を達成でき、且つレンズ３０の調整は位置決め弾性片２２と位置決め歯部１３１の係止により位置決めされ、ゆえに確実にしっかりと適当な位置に調整できる。更にレンズ３０は着脱式に簡単にスライドシート２０に枢結できるほか、レンズ３０に凸設された位置決めリブ３１１と枢設部２３の係止歯２３１の係合により位置決めでき、これによりレンズ３０の角度調整を安定して行なうことができる。次に、図６に示されるように、本発明のスライドシート２０と挟持本体１０を結合させる時は、枢設部２３の取り付け方向は反対方向に調整でき、レンズ３０を結合させる時に使用者の眼に更に接近させることができ、異なる使用者の要求に対応できる。このほか、図７に示されるように、本発明の構造の設計変化上、照明器具４０を取り付けずに使用する時、使用者はランプシート１４を具備しない挟持本体１０を選択して使用でき、これにより異なる使用者の要求に符合する。
【００２１】
以上の説明から分かるように、本発明は上述の設計により、周知の技術の問題を有効に克服でき、更に上述の多くの長所と実用価値を具備している。
【図面の簡単な説明】
【００２２】
【図１】本発明の立体組合せ外観図である。
【図２】本発明の立体分解図である。
【図３】本発明の組合せ断面図である。
【図４】本発明の別の組合せ断面図である。
【図５】本発明の組合せ断面と調整使用表示図である。
【図６】本発明の第２実施例の使用形態の組合せ断面図である。
【図７】本発明の第３実施例の使用形態の組合せ断面図である。
【図８】本発明の帽子に取り付けた使用表示図である。
【図９】本発明のヘルメットに取り付けた使用表示図である。
【図１０】本発明の眼鏡フレームに取り付けた使用表示図である。
【符号の説明】
【００２３】
１０  挟持本体                  １１  挟持空間
１２  滑り溝                    １３  スライドレール
１３１  位置決め歯部            １４  ランプシート
２０  スライドシート            ２１  翼片
２２  位置決め弾性片            ２３  枢設部
２３１  係止歯                  ３０  レンズ
３１  枢設ロッド                ３１１  位置決めリブ
４０  照明器具                  ４１  ランプ本体
４１１  結合ロッド部            ４２  反射カバー
４３  バルブ                    ４４  ランプヘッド
５０  帽子                      ５１  つば
６０  眼鏡フレーム              ６１  位置決め片体
７０  ヘルメット                ７１  つば
【図１】
2006169669.tif 000003
【図２】
2006169669.tif 000004
【図３】
2006169669.tif 000005
【図４】
2006169669.tif 000006
【図５】
2006169669.tif 000007
【図６】
2006169669.tif 000008
【図７】
2006169669.tif 000009
【図８】
2006169669.tif 000010
【図９】
2006169669.tif 000011
【図１０】
2006169669.tif 000012